(57)【要約】【課題】利用者が実際に参照している候補への投票を簡易に行うことができる投票システムを提供する。【解決手段】ユーザ端末８０と、投票処理装置９０とを備え、ユーザ端末８０は、投票候補を撮影する撮影手段８１と、撮影された投票候補画像を投票処理装置９０に送信する画像送信手段８２と、利用者の操作に応じて、投票処理装置９０に投票指示を行う指示手段８３とを含み、投票処理装置９０は、受信した投票候補画像から抽出される識別情報に基づいて投票候補を識別する識別手段９１と、識別された投票候補に対する投票指示をさせるために用いられる投票指示情報を特定する特定手段９２と、特定された前記投票指示情報をユーザ端末８０に送信する情報送信手段９３と、ユーザ端末８０からの投票指示に応じて投票処理を行う投票手段９４とを含み、ユーザ端末８０の指示手段８３は、投票処理装置９０から受信した前記投票指示情報を用いて投票指示を行う。【選択図】図８
2015184726.tif 000002
【特許請求の範囲】
【請求項１】
ユーザ端末と、
投票処理装置とを備え、
前記ユーザ端末は、
投票候補を撮影する撮影手段と、
撮影された投票候補画像を前記投票処理装置に送信する画像送信手段と、
利用者の操作に応じて、前記投票処理装置に投票指示を行う指示手段とを含み、
前記投票処理装置は、
受信した投票候補画像から抽出される識別情報に基づいて投票候補を識別する識別手段と、
識別された投票候補に対する投票指示をさせるために用いられる投票指示情報を特定する特定手段と、
特定された前記投票指示情報を前記ユーザ端末に送信する情報送信手段と、
前記ユーザ端末からの投票指示に応じて投票処理を行う投票手段とを含み、
前記ユーザ端末の指示手段は、前記投票処理装置から受信した前記投票指示情報を用いて投票指示を行う
ことを特徴とする投票システム。
【請求項２】
投票処理装置は、投票手段によって行われた投票処理を集計した集計結果を生成し、当該集計結果を表示装置に表示させる集計手段を含む
請求項１記載の投票システム。
【請求項３】
集計手段は、投票手段によって行われた投票処理を集計した第一集計結果と、前記投票手段以外によって行われた投票処理を含む投票処理を集計した第二集計結果とを比較した比較情報を、集計結果として生成する
請求項２記載の投票システム。
【請求項４】
ユーザ端末の画像送信手段は、撮影手段によって撮影された複数の投票候補画像を投票処理装置に送信し、
投票処理装置の特定手段は、識別された複数の投票候補に対する投票指示をさせるために用いられる投票指示情報を特定する
請求項１から請求項３のうちのいずれか１項に記載の投票システム。
【請求項５】
ユーザ端末の画像送信手段は、投票候補を撮影した場所を示す位置情報と、投票候補を撮影した時間を示す時間情報のうちの少なくともいずれか一方の情報を、投票候補画像とともに投票処理装置に送信し、
投票処理装置の識別手段は、受信した前記情報および前記識別情報に基づいて投票候補を識別する
請求項１から請求項４のうちのいずれか１項に記載の投票システム。
【請求項６】
投票処理装置の識別手段は、投票候補画像を受信した時刻および識別情報に基づいて投票候補を識別する
請求項１から請求項４のうちのいずれか１項に記載の投票システム。
【請求項７】
ユーザ端末は、投票処理装置から受信した情報を表示する表示手段を備え、
投票処理装置の情報送信手段は、識別手段によって投票候補が一意に識別できない場合、候補となる投票候補に関する情報をユーザ端末に送信し、
ユーザ端末の表示手段は、受信した候補となる投票候補に関する情報を表示する
請求項１から請求項６のうちのいずれか１項に記載の投票システム。
【請求項８】
ユーザ端末と、
投票処理装置とを備え、
前記ユーザ端末は、
投票候補を撮影する撮影手段と、
撮影された投票候補画像から前記投票候補の識別に用いられる識別情報を抽出し、抽出した識別情報を前記投票処理装置に送信する画像送信手段と、
利用者の操作に応じて、前記投票処理装置に投票指示を行う指示手段とを含み、
前記投票処理装置は、
受信した識別情報に基づいて投票候補を識別する識別手段と、
識別された投票候補に対する投票指示をさせるために用いられる投票指示情報を特定する特定手段と、
特定された前記投票指示情報を前記ユーザ端末に送信する情報送信手段と、
前記ユーザ端末からの投票指示に応じて投票処理を行う投票手段とを含み、
前記ユーザ端末の指示手段は、前記投票処理装置から受信した前記投票指示情報を用いて投票指示を行う
ことを特徴とする投票システム。
【請求項９】
撮影手段により撮影された投票候補を含む投票候補画像から抽出される識別情報に基づいて投票候補を識別する識別手段と、
識別された投票候補に対する投票指示をさせるために用いられる投票指示情報を特定する特定手段と、
特定された前記投票指示情報を用いた投票指示に応じて投票処理を行う投票手段とを備えた
ことを特徴とする投票処理システム。
【請求項１０】
ユーザ端末により撮影された投票候補を含む投票候補画像を受信し、受信した投票候補画像から抽出される識別情報に基づいて投票候補を識別する識別手段と、
識別された投票候補に対する投票指示をさせるために用いられる投票指示情報を特定する特定手段と、
特定された前記投票指示情報を前記ユーザ端末に送信する情報送信手段と、
特定された前記投票指示情報を用いた投票指示を前記ユーザ端末から受信し、当該投票指示に応じて投票処理を行う投票手段とを備えた
ことを特徴とする投票処理装置。
【請求項１１】
投票手段によって行われた投票処理を集計した集計結果を生成し、当該集計結果を表示装置に表示させる集計手段を備えた
請求項１０記載の投票処理装置。
【請求項１２】
ユーザ端末により撮影された投票候補を含む投票候補画像から抽出される当該投票候補の識別に用いられる識別情報を受信し、受信した識別情報に基づいて投票候補を識別する識別手段と、
識別された投票候補に対する投票指示をさせるために用いられる投票指示情報特定する特定手段と、
特定された前記投票指示情報を前記ユーザ端末に送信する情報送信手段と、
特定された前記投票指示情報を用いた投票指示を前記ユーザ端末から受信し、当該投票指示に応じて投票処理を行う投票手段とを備えた
ことを特徴とする投票処理装置。
【請求項１３】
投票候補を撮影する撮影手段と、
受信した投票候補画像から抽出される識別情報に基づいて投票候補を識別するとともに当該投票候補に対する投票指示をさせるために用いられる投票指示情報を特定して当該投票候補画像の送信元に前記投票指示情報を送信する投票処理装置に対し、前記撮影手段によって撮影された投票候補画像を送信する画像送信手段と、
利用者の操作に応じて、前記投票処理装置に投票指示を行う指示手段とを備え、
前記指示手段は、前記投票指示情報を用いて投票指示を行う
ことを特徴とするユーザ端末。
【請求項１４】
ユーザ端末が、投票候補を撮影し、
前記ユーザ端末が、撮影された投票候補画像を投票処理装置に送信し、
前記投票処理装置が、受信した投票候補画像から抽出される識別情報に基づいて投票候補を識別し、
前記投票処理装置が、識別された投票候補に対する投票指示をさせるために用いられる投票指示情報を特定し、
前記投票処理装置が、特定された前記投票指示情報を前記ユーザ端末に送信し、
前記ユーザ端末が、利用者の操作に応じて、前記投票処理装置に投票指示を行い、
前記投票処理装置が、特定された前記投票指示情報を用いた投票指示を前記ユーザ端末から受信し、当該投票指示に応じて投票処理を行う
ことを特徴とする投票処理方法。
【請求項１５】
投票処理装置は、自投票処理装置が行った投票処理を集計した集計結果を生成し、当該集計結果を表示装置に表示させる
請求項１４記載の投票処理方法。
【請求項１６】
ユーザ端末が、投票候補を撮影し、
前記ユーザ端末が、撮影された投票候補画像から前記投票候補の識別に用いられる識別情報を抽出し、
前記ユーザ端末が、抽出した識別情報を前記投票処理装置に送信し、
前記投票処理装置が、受信した識別情報に基づいて投票候補を識別し、
前記投票処理装置が、識別された投票候補に対する投票指示をさせるために用いられる投票指示情報を特定し、
前記投票処理装置が、特定された前記投票指示情報を前記ユーザ端末に送信し、
前記ユーザ端末が、利用者の操作に応じて、前記投票処理装置に投票指示を行い、
前記投票処理装置が、特定された前記投票指示情報を用いた投票指示を前記ユーザ端末から受信し、当該投票指示に応じて投票処理を行う
ことを特徴とする投票処理方法。
【請求項１７】
ユーザ端末により撮影された投票候補を含む投票候補画像を受信し、受信した投票候補画像から抽出される識別情報に基づいて投票候補を識別し、
識別された投票候補に対する投票指示をさせるために用いられる投票指示情報を特定し、
特定された前記投票指示情報を前記ユーザ端末に送信し、
特定された前記投票指示情報を用いた投票指示を前記ユーザ端末から受信し、当該投票指示に応じて投票処理を行う
ことを特徴とする投票用画像処理方法。
【請求項１８】
投票処理装置によって行われた投票処理を集計した集計結果を生成し、当該集計結果を表示装置に表示させる
請求項１７記載の投票用画像処理方法。
【請求項１９】
ユーザ端末により撮影された投票候補を含む投票候補画像から抽出される当該投票候補の識別に用いられる識別情報を受信し、
受信した識別情報に基づいて投票候補を識別し、
識別された投票候補に対する投票指示をさせるために用いられる投票指示情報を特定し、
特定された前記投票指示情報を前記ユーザ端末に送信し、
特定された前記投票指示情報を用いた投票指示を前記ユーザ端末から受信し、当該投票指示に応じて投票処理を行う
ことを特徴とする投票用画像処理方法。
【請求項２０】
コンピュータに、
ユーザ端末により撮影された投票候補を含む投票候補画像を受信し、受信した投票候補画像から抽出される識別情報に基づいて投票候補を識別する識別処理、
識別された投票候補に対する投票指示をさせるために用いられる投票指示情報を特定する特定処理、
特定された前記投票指示情報を前記ユーザ端末に送信する情報送信処理、および、
特定された前記投票指示情報を用いた投票指示を前記ユーザ端末から受信し、当該投票指示に応じて投票処理を行う投票実行処理
を実行させるための投票処理用プログラム。
【請求項２１】
コンピュータに、
投票実行処理で行われた投票処理を集計した集計結果を生成させ、当該集計結果を表示装置に表示させる
請求項２０記載の投票処理用プログラム。
【請求項２２】
コンピュータに、
ユーザ端末により撮影された投票候補を含む投票候補画像から抽出される当該投票候補の識別に用いられる識別情報を受信し、受信した識別情報に基づいて投票候補を識別する識別処理、
識別された投票候補に対する投票指示をさせるために用いられる投票指示情報を特定する特定処理、
特定された前記投票指示情報を前記ユーザ端末に送信する情報送信処理、および、
特定された前記投票指示情報を用いた投票指示を前記ユーザ端末から受信し、当該投票指示に応じて投票処理を行う投票実行処理
を実行させるための投票処理用プログラム。
【発明の詳細な説明】
【技術分野】
【０００１】
本発明は、公営競技の利用者が行う投票を支援する投票システム、投票処理装置、ユーザ端末、投票処理方法、投票用画像処理方法および投票処理用プログラムに関する。
【背景技術】
【０００２】
公営競技（競馬、競輪、競艇、およびオートレース）において、投票券（勝馬投票券、勝舟投票券、勝者投票券など）を購入する場合、一般的には、予想する着順の組合せをマークカードに記載する。
【０００３】
また、近年では、ユーザによる入力の利便性を向上させるため、マークカードだけでなく、タブレット型端末上に表示された着順の組み合わせを選択して投票券を購入する方法も広まってきている。
【０００４】
また、他にも、競技場外で投票券を購入するシステムが提案されている。例えば、特許文献１には、事前にユーザ登録をしていないユーザであってもコンビニエンスストアなどに設置されたマルチメディア端末を用いて公営競技の投票を行うことができる投票システムが記載されている。
【先行技術文献】
【特許文献】
【０００５】
【特許文献１】特開２０１３−２５７７０９号公報
【発明の概要】
【発明が解決しようとする課題】
【０００６】
競技場外で投票券を購入できるシステムが提案されている一方で、実際に競技場に足を運び、投票候補の状態を確認した上で投票を行う利用者も数多く存在する。例えば、競馬場では、返し馬やパドックの状況に基づいて投票候補を決定する利用者も多い。
【０００７】
例えば、競馬の場合、利用者は、パドックや観覧席で競走馬の状況を確認すると、その競走馬の出走レースやオッズを場内モニタなどで確認して投票候補を決定し、その候補をマークカードに記入の上、競技場内の自動精算機で清算手続を行う。このような処理を経て、投票が完了する。
【０００８】
しかし、利用者が、実際に投票候補を確認し投票を行おうとしても、投票を完了させるまでには、非常に多くの労力を有する。これは、上述する競馬だけでなく、他の公営競技についても同様である。そのため、利用者が実際に参照して確認した投票候補への投票を、迅速かつ簡易に行えるようにできることが望ましい。
【０００９】
そこで、本発明は、利用者が実際に参照している候補への投票を簡易に行うことができる投票システム、投票処理装置、ユーザ端末、投票処理方法、投票用画像処理方法および投票処理用プログラムを提供することを目的とする。
【課題を解決するための手段】
【００１０】
本発明による投票システムは、ユーザ端末と、投票処理装置とを備え、ユーザ端末が、投票候補を撮影する撮影手段と、撮影された投票候補画像を投票処理装置に送信する画像送信手段と、利用者の操作に応じて、投票処理装置に投票指示を行う指示手段とを含み、投票処理装置が、受信した投票候補画像から抽出される識別情報に基づいて投票候補を識別する識別手段と、識別された投票候補に対する投票指示をさせるために用いられる投票指示情報を特定する特定手段と、特定された投票指示情報をユーザ端末に送信する情報送信手段と、ユーザ端末からの投票指示に応じて投票処理を行う投票手段とを含み、ユーザ端末の指示手段が、投票処理装置から受信した投票指示情報を用いて投票指示を行うことを特徴とする。
【００１１】
本発明による他の投票システムは、ユーザ端末と、投票処理装置とを備え、ユーザ端末が、投票候補を撮影する撮影手段と、撮影された投票候補画像から投票候補の識別に用いられる識別情報を抽出し、抽出した識別情報を投票処理装置に送信する画像送信手段と、利用者の操作に応じて、投票処理装置に投票指示を行う指示手段とを含み、投票処理装置が、受信した識別情報に基づいて投票候補を識別する識別手段と、識別された投票候補に対する投票指示をさせるために用いられる投票指示情報を特定する特定手段と、特定された投票指示情報をユーザ端末に送信する情報送信手段と、ユーザ端末からの投票指示に応じて投票処理を行う投票手段とを含み、ユーザ端末の指示手段が、投票処理装置から受信した投票指示情報を用いて投票指示を行うことを特徴とする。
【００１２】
本発明によるさらに他の投票システムは、撮影手段により撮影された投票候補を含む投票候補画像から抽出される識別情報に基づいて投票候補を識別する識別手段と、識別された投票候補に対する投票指示をさせるために用いられる投票指示情報を特定する特定手段と、特定された投票指示情報を用いた投票指示に応じて投票処理を行う投票手段とを備えたことを特徴とする。
【００１３】
本発明による投票処理装置は、ユーザ端末により撮影された投票候補を含む投票候補画像を受信し、受信した投票候補画像から抽出される識別情報に基づいて投票候補を識別する識別手段と、識別された投票候補に対する投票指示をさせるために用いられる投票指示情報を特定する特定手段と、特定された投票指示情報をユーザ端末に送信する情報送信手段と、特定された投票指示情報を用いた投票指示をユーザ端末から受信し、その投票指示に応じて投票処理を行う投票手段とを備えたことを特徴とする。
【００１４】
本発明による他の投票処理装置は、ユーザ端末により撮影された投票候補を含む投票候補画像から抽出されるその投票候補の識別に用いられる識別情報を受信し、受信した識別情報に基づいて投票候補を識別する識別手段と、識別された投票候補に対する投票指示をさせるために用いられる投票指示情報特定する特定手段と、特定された投票指示情報をユーザ端末に送信する情報送信手段と、特定された投票指示情報を用いた投票指示をユーザ端末から受信し、その投票指示に応じて投票処理を行う投票手段とを備えたことを特徴とする。
【００１５】
本発明によるユーザ端末は、投票候補を撮影する撮影手段と、受信した投票候補画像から抽出される識別情報に基づいて投票候補を識別するとともにその投票候補に対する投票指示をさせるために用いられる投票指示情報を特定して投票候補画像の送信元に投票指示情報を送信する投票処理装置に対し、撮影手段によって撮影された投票候補画像を送信する画像送信手段と、利用者の操作に応じて、投票処理装置に投票指示を行う指示手段とを備え、指示手段は、投票指示情報を用いて投票指示を行うことを特徴とする。
【００１６】
本発明による投票処理方法は、ユーザ端末が、投票候補を撮影し、ユーザ端末が、撮影された投票候補画像を投票処理装置に送信し、投票処理装置が、受信した投票候補画像から抽出される識別情報に基づいて投票候補を識別し、投票処理装置が、識別された投票候補に対する投票指示をさせるために用いられる投票指示情報を特定し、投票処理装置が、特定された投票指示情報をユーザ端末に送信し、ユーザ端末が、利用者の操作に応じて、投票処理装置に投票指示を行い、投票処理装置が、特定された投票指示情報を用いた投票指示をユーザ端末から受信し、その投票指示に応じて投票処理を行うことを特徴とする。
【００１７】
本発明による他の投票処理方法は、ユーザ端末が、投票候補を撮影し、ユーザ端末が、撮影された投票候補画像から投票候補の識別に用いられる識別情報を抽出し、ユーザ端末が、抽出した識別情報を投票処理装置に送信し、投票処理装置が、受信した識別情報に基づいて投票候補を識別し、投票処理装置が、識別された投票候補に対する投票指示をさせるために用いられる投票指示情報を特定し、投票処理装置が、特定された投票指示情報をユーザ端末に送信し、ユーザ端末が、利用者の操作に応じて、投票処理装置に投票指示を行い、投票処理装置が、特定された投票指示情報を用いた投票指示をユーザ端末から受信し、その投票指示に応じて投票処理を行うことを特徴とする。
【００１８】
本発明による投票用画像処理方法は、ユーザ端末により撮影された投票候補を含む投票候補画像を受信し、受信した投票候補画像から抽出される識別情報に基づいて投票候補を識別し、識別された投票候補に対する投票指示をさせるために用いられる投票指示情報を特定し、特定された投票指示情報をユーザ端末に送信し、特定された投票指示情報を用いた投票指示をユーザ端末から受信し、その投票指示に応じて投票処理を行うことを特徴とする。
【００１９】
本発明による他の投票用画像処理方法は、ユーザ端末により撮影された投票候補を含む投票候補画像から抽出されるその投票候補の識別に用いられる識別情報を受信し、受信した識別情報に基づいて投票候補を識別し、識別された投票候補に対する投票指示をさせるために用いられる投票指示情報を特定し、特定された投票指示情報をユーザ端末に送信し、特定された投票指示情報を用いた投票指示をユーザ端末から受信し、その投票指示に応じて投票処理を行うことを特徴とする。
【００２０】
本発明による投票処理用プログラムは、コンピュータに、ユーザ端末により撮影された投票候補を含む投票候補画像を受信し、受信した投票候補画像から抽出される識別情報に基づいて投票候補を識別する識別処理、識別された投票候補に対する投票指示をさせるために用いられる投票指示情報を特定する特定処理、特定された投票指示情報をユーザ端末に送信する情報送信処理、および、特定された投票指示情報を用いた投票指示をユーザ端末から受信し、その投票指示に応じて投票処理を行う投票実行処理を実行させることを特徴とする。
【００２１】
本発明による他の投票処理用プログラムは、コンピュータに、ユーザ端末により撮影された投票候補を含む投票候補画像から抽出されるその投票候補の識別に用いられる識別情報を受信し、受信した識別情報に基づいて投票候補を識別する識別処理、識別された投票候補に対する投票指示をさせるために用いられる投票指示情報を特定する特定処理、特定された投票指示情報をユーザ端末に送信する情報送信処理、および、特定された投票指示情報を用いた投票指示をユーザ端末から受信し、その投票指示に応じて投票処理を行う投票実行処理を実行させることを特徴とする。
【発明の効果】
【００２２】
本発明によれば、利用者が実際に参照している候補への投票を簡易に行うことができる。
【図面の簡単な説明】
【００２３】
【図１】本発明による投票システムの第１の実施形態の構成例を示すブロック図である。
【図２】第１の実施形態の投票システムの動作例を示すフローチャートである。
【図３】第１の実施形態の投票システムの他の動作例を示すフローチャートである。
【図４】第１の実施形態の投票システムの変形例を示すブロック図である。
【図５】第１の実施形態の投票システムの他の変形例を示すブロック図である。
【図６】本発明による投票システムの第２の実施形態の構成例を示すブロック図である。
【図７】第２の実施形態の投票システムの動作例を示すフローチャートである。
【図８】本発明による投票システムの概要を示すブロック図である。
【図９】本発明による投票システムの他の概要を示すブロック図である。
【図１０】本発明による投票システムのさらに他の概要を示すブロック図である。
【図１１】本発明による投票処理装置の概要を示すブロック図である。
【図１２】本発明によるユーザ端末の概要を示すブロック図である。
【発明を実施するための形態】
【００２４】
以下、本発明の実施形態を図面を参照して説明する。
【００２５】
実施形態１．
図１は、本発明による投票システムの第１の実施形態の構成例を示すブロック図である。本実施形態の投票システムは、携帯端末１０と、投票処理装置２０とを備えている。
【００２６】
携帯端末１０は、投票を行う利用者によって利用される装置であり、例えば、携帯電話機、タブレット型端末、ウェアラブル端末等である。なお、携帯端末１０は、利用者によって利用されることから、ユーザ端末と呼ぶことができる。
【００２７】
携帯端末１０は、撮影手段１１と、画像送信手段１２と、指示手段１３と、表示手段１４と、情報要求手段１５とを含む。
【００２８】
撮影手段１１は、利用者の操作に応じて投票候補を撮影する。撮影手段１１は、例えば、携帯電話機が有するカメラなどにより実現される。例えば、競馬の場合、利用者は、撮影手段１１を用いてパドックや返し馬などに現れる競走馬を撮影する。
【００２９】
他にも、例えば、競輪の場合、利用者は、撮影手段１１を用いて「顔見せ」や「脚見せ」、「地乗り」などの選手紹介に現れる選手および自転車を撮影することができる。また、例えば、競艇の場合、利用者は、撮影手段１１を用いてスタート展示や周回展示に現れるボートを撮影することができる。また、例えば、オートレースの場合、利用者は、撮影手段１１を用いて試走に現れる競走車を撮影することができる。
【００３０】
このように、利用者が実際に参照している候補が撮影手段１１を介して撮影される。なお、いずれの公営競技の場合にも、撮影手段１１は、ゼッケンなど、投票候補を識別するために必要な情報を含む画像を撮影する。
【００３１】
また、撮影手段１１は、投票候補を撮影する際、投票候補を撮影した場所を示す位置情報や、投票候補を撮影した時間を示す時間情報を、画像とともに取得する。撮影手段１１は、例えば、携帯端末１０に内蔵されたタイマ（図示せず）から時間情報を取得してもよい。また、撮影手段１１は、例えば、ＧＰＳ（Global Positioning System ）を介して位置情報を取得してもよい。
【００３２】
なお、位置情報を取得する方法はＧＰＳを利用する方法に限定されない。例えば、利用者が入金処理を行った位置を位置情報として利用してもよい。また、利用者の携帯端末１０が場内に設けられたアクセスポイントにアクセスしたことを検知して、そのアクセスポイントの位置を位置情報として利用してもよい。
【００３３】
また、利用者が、撮影手段１１を用いて、１つのレースに出場する複数の投票候補を撮影することもある。以下の説明では、撮影手段１１が撮影した投票候補の画像のことを、投票候補画像と記すこともある。また、投票候補画像は、静止画であってもよいし、動画であってもよい。
【００３４】
画像送信手段１２は、携帯電話通信網や近距離無線通信を利用して、撮影した投票候補画像を投票処理装置２０に送信する。撮影手段１１が位置情報や時間情報を取得している場合、画像送信手段１２は、位置情報と時間情報のいずれか一方、または、両方の情報を、投票候補画像とともに投票処理装置２０に送信してもよい。
【００３５】
また、撮影手段１１が、１つのレースに出場する複数の投票候補を撮影している場合、画像送信手段１２は、投票候補をそれぞれ撮影した複数の投票候補画像を投票処理装置２０に送信してもよい。
【００３６】
指示手段１３は、利用者の操作に応じて投票処理装置２０に各種指示を行う。具体的には、指示手段１３は、利用者による投票操作を検知して、指定された候補への投票指示を投票処理装置２０に行う。指示手段１３は、例えば、表示手段１４に表示された投票候補への操作指示を検知して投票指示を行ってもよい。
【００３７】
また、指示手段１３は、投票処理装置２０からの問合せや確認要求を受信した場合、その問い合わせや要求に対する応答指示を行ってもよい。
【００３８】
表示手段１４は、利用者に提示する各種情報を表示する。表示手段１４は、例えば、ディスプレイ装置やタッチパネルが備える液晶パネルなどの表示装置により実現される。具体的には、表示手段１４は、投票処理装置２０から受信した投票候補に関するレースやオッズを表示する。
【００３９】
例えば、競馬の場合、表示手段１４は、投票候補が出場するレースに関する情報として、競馬場の名前やレース番号、枠番などを表示してもよい。また、表示手段１４は、その投票候補が出場するレースのオッズ（単勝、複勝、二連勝単式、普通二連勝複式、拡大二連勝複式、三連勝単式、三連勝複式など）を表示してもよい。このとき、表示手段１４は、投票候補のみが含まれるオッズや、投票候補を軸（１着軸、２着軸、３着軸）としたオッズのみを表示するようにしてもよい。
【００４０】
また、表示手段１４は、撮影手段１１が撮影した画像を表示してもよい。また、表示手段１４は、投票処理装置２０から受信した投票候補の過去の成績を表示してもよい。
【００４１】
情報要求手段１５は、投票候補に関する情報を投票処理装置２０に要求する。そして、情報要求手段１５は、投票処理装置２０から受信した情報を、表示手段１４に表示させる。
【００４２】
投票処理装置２０は、携帯端末１０と通信ネットワークを介して接続される。投票処理装置２０は、識別手段２１と、特定手段２２と、情報送信手段２３と、投票手段２４と、レース情報記憶手段３１と、過去成績記憶手段３２とを含む。
【００４３】
なお、図１に例示する投票システムは、投票処理装置２０を１台のみ含んでいるが、投票処理装置２０の台数は１台に限られず、２台以上であってもよい。また、上述する全ての機能は、１台の投票処理装置２０に実装されていなくてもよく、複数の投票処理装置２０に分散して実装されていてもよい。本実施形態の説明では、１台の投票処理装置２０に、これらすべての機能が実装されている場合を例に説明する。
【００４４】
レース情報記憶手段３１は、後述する特定手段２２が、識別された投票候補に対してユーザに投票指示を行わせるために用いられる情報の特定に必要な情報を記憶する。本実施形態では、レース情報記憶手段３１は、投票候補に関連するレースの情報を記憶する。
【００４５】
例えば、競馬の場合、レース情報記憶手段３１は、各日程のレースごとに、馬番や馬名、性齢、負担、重量、騎手、厩舎などの情報を記憶する。なお、レース情報記憶手段３１が記憶する情報は、競馬に関する情報に限定されず、また、競馬に関する情報も上記内容に限定されない。レース情報記憶手段３１は、対応する公営競技ごとに、レースを特定するために必要な情報を記憶すればよい。
【００４６】
また、レース情報記憶手段３１は、レースの情報として、投票候補に関するレースのオッズ情報を記憶していてもよい。なお、オッズ情報を他のシステム（図示せず）から取得する場合、レース情報記憶手段３１は、他のシステムから受信したオッズ情報を記憶してもよい。
【００４７】
過去成績記憶手段３２は、投票候補の過去の成績を記憶する。例えば、競馬の場合、過去成績記憶手段３２は、投票候補が過去に出場したレースの日時や開催場所、天気や騎手などの情報を記憶してもよい。他の公営競技についても同様である。
【００４８】
識別手段２１は、携帯端末１０から受信した投票候補画像から抽出される識別情報に基づいて、投票候補を識別する。なお、携帯端末１０から複数の投票候補画像を受信した場合、識別手段２１は、投票候補画像ごとに投票候補を識別すればよい。
【００４９】
例えば、競馬の場合、競走馬に装着されるゼッケンには、馬番号や馬名が表記されている。そこで、識別手段２１は、投票候補画像からゼッケンを特定し、そのゼッケンに表記された馬番号や馬名を識別情報として抽出する。他にも、ゼッケンにレース番号やレース名が含まれている場合、識別手段２１は、特定したゼッケンからレース番号やレース名を識別情報として抽出してもよい。さらに、識別手段２１は、携帯端末１０から受信した位置情報や時間情報を識別情報として抽出してもよい。
【００５０】
また、例えば、競艇の場合、選手が乗るボートには艇番が表記されている。そこで、識別手段２１は、投票候補画像からボートを特定し、そのボートに表記された艇番を識別情報として抽出してもよい。また、ボートに場名や選手名が表記されている場合、識別手段２１は、艇番とともに場名や選手名を識別情報として抽出してもよい。
【００５１】
他にも、例えば、競輪の場合、選手が着用する勝負服には車番が表記されている。そこで、識別手段２１は、投票候補画像から人物を特定し、その人物が着用する勝負服に表記された車番を識別情報として抽出してもよい。また、例えば、オートレースの場合、選手が乗る競走車に車番が表記されている。そこで、識別手段２１は、投票候補画像から競走車を特定し、その競走車に表記された車番を識別情報として抽出してもよい。
【００５２】
識別手段２１は、投票候補を識別する際、投票候補画像から抽出された識別情報以外にも、携帯端末１０から受信した位置情報や時間情報を使用してもよい。すなわち、識別手段２１は、投票候補を一意に識別するために、投票候補画像から抽出した識別情報以外の情報が必要な場合には、受信した情報（位置情報、時間情報）も用いて投票候補を識別してもよい。投票候補画像から抽出される識別情報だけでは、開催場所やその投票候補が出場するレースを特定するのが困難であっても、位置情報や時間情報を補うことで、投票候補を特定する精度を向上できる。
【００５３】
ここで、識別手段２１は、携帯端末１０から時間情報を受信しない場合であっても、投票候補画像を受信した時刻を撮影時刻と擬制し、その時刻を時間情報として識別処理に利用してもよい。すなわち、識別手段２１は、投票候補画像を受信した時刻および識別情報に基づいて投票候補を識別してもよい。投票候補画像が撮影されてから投票処理装置２０に投票候補画像が送信されるまで、大きな時間差はないと考えられるからである。
【００５４】
なお、識別手段２１が投票候補を識別する際、得られている識別情報だけでは投票候補を一意に特定できない場合も存在する。そこで、識別手段２１は、投票候補が一意に識別できない場合、後述する情報送信手段２３に、候補となる投票候補に関する情報を携帯端末１０に送信するよう指示してもよい。このようにすることで、投票候補を特定する精度をより向上できる。
【００５５】
本実施形態では、識別手段２１が投票候補画像から特定する対象は、各公営競技によって決まっている。また、通常これらの識別情報は、観覧者に見やすいように表記されているため、投票候補画像に映り込みやすいという特性も有する。
【００５６】
例えば、競馬であれば特定される対象は馬であり、競艇であれば特定される対象はボートである。また、特定された対象中に存在する識別情報の位置もおおよそ決まっている。例えば、競馬であれば、ゼッケンは特定された馬の脇腹辺りに存在し、競艇であれば、艇番は特定されたボートの側面に存在する。
【００５７】
そこで、識別手段２１は、例えば、テンプレートマッチングにより、投票候補画像から識別情報を抽出してもよい。ただし、識別手段２１が識別情報を抽出する方法は、テンプレートマッチングに限定されず、画像から特定の情報を抽出できる方法であれば他の方法でもよい。
【００５８】
特定手段２２は、識別された投票候補に対してユーザに投票指示を行わせるために用いられる情報を特定する。以下、この情報のことを投票指示情報と記す。例えば、公営競技の場合、ユーザに投票指示を行わせるための情報は、投票候補が出場予定のレースに関する情報である。そこで、本実施形態の特定手段２２は、投票指示情報として、識別された投票候補が出場予定のレースを特定する。
【００５９】
具体的には、特定手段２２は、レース情報記憶手段３１を参照して、識別された投票候補が出場予定のレースを特定する。その際、特定手段２２は、レース情報記憶手段３１に記憶されたオッズ情報を参照して、特定されたレースのオッズも併せて特定してもよい。また、このとき、特定手段２２は、識別された投票候補が含まれるオッズのみを特定してもよい。
【００６０】
また、携帯端末１０から複数の投票候補画像を受信している場合、特定手段２２は、各投票候補画像から特定された投票候補が一緒に出場予定のレースを特定してもよい。そして、特定手段２２は、これらの投票候補に関するオッズを特定するようにしてもよい。このようにすることで、利用者が要求するオッズなどの情報を的確に提供できる。
【００６１】
なお、投票指示情報は、レースに関する情報に限定されない。例えば、あるイベントに出店、出品された投票候補の順位を決定する場面においては、投票指示情報は、例えば、投票候補がエントリする部門に関する情報などであってもよい。
【００６２】
情報送信手段２３は、特定された投票指示情報を携帯端末１０に送信する。例えば、公営競技の場合、情報送信手段２３は、投票指示情報として、特定されたレースに関する情報を携帯端末１０に送信してもよい。情報送信手段２３は、レースに関する情報として、例えば、投票候補が出場予定のレースを特定可能な情報を携帯端末１０に送信してもよい。また、情報送信手段２３は、レースに関する情報として、例えば、特定したレースのオッズ情報や過去成績、予想情報などを携帯端末１０に送信してもよい。情報送信手段２３が送信する情報は、投票する場面（例えば、公営競技の性質）に応じて予め定められていてもよく、携帯端末１０からの指示に応じて選択されてもよい。
【００６３】
また、情報送信手段２３は、携帯端末１０から投票候補に関する情報の要求を受信すると、過去成績記憶手段３２から投票候補の過去の成績等を検索し、携帯端末１０に送信する。
【００６４】
また、識別手段２１から候補となる投票候補に関する情報の送信指示がなされた場合、情報送信手段２３は、識別された投票候補に関する情報を携帯端末１０に送信してもよい。このとき、携帯端末１０の表示手段１４は、受信した候補となる投票候補に関する情報を表示する。
【００６５】
投票手段２４は、携帯端末１０（具体的には、指示手段１３）からの投票指示に応じて投票処理を行う。具体的には、携帯端末１０の指示手段１３が、投票指示情報を用いて投票指示を行う。例えば、指示手段１３は、投票指示情報が示すレースに対する投票指示を行う。そして、投票手段２４は、特定されたレースに出場予定の投票候補へ投票する旨の指示を携帯端末１０から受け取ると、その指示に応じて投票処理を行う。このとき、投票手段２４は、自身で投票処理に関する処理を行ってもよく、投票処理を行う他のシステム（図示せず）に投票指示を行ってもよい。すなわち、投票手段２４は、一般的に知られた方法で投票処理を行えばよい。
【００６６】
また、投票手段２４は、投票結果（例えば、投票の成否、購入金額など）を携帯端末１０に通知してもよい。このとき、携帯端末１０の表示手段１４は、投票結果を表示してもよい。
【００６７】
識別手段２１と、特定手段２２と、情報送信手段２３と、投票手段２４とは、プログラム（投票処理用プログラム）に従って動作するコンピュータのＣＰＵによって実現される。例えば、プログラムは、投票処理装置２０の記憶部（図示せず）に記憶され、ＣＰＵは、そのプログラムを読み込み、プログラムに従って、識別手段２１、特定手段２２、情報送信手段２３および投票手段２４として動作してもよい。
【００６８】
また、識別手段２１と、特定手段２２と、情報送信手段２３と、投票手段２４とは、それぞれが同一のハードウェアで実現されていてもよいし、それぞれ別のハードウェアで実現されていてもよい。
【００６９】
また、レース情報記憶手段３１および過去成績記憶手段３２は、例えば、磁気ディスク等により実現される。
【００７０】
次に、本実施形態の投票システムの動作を説明する。図２は、本実施形態の投票システムの動作例を示すフローチャートである。本システムの利用者は、出場前の投票候補を、例えば、パドックやスタート展示などで実際に参照する。
【００７１】
そして、利用者の操作に応じ、携帯端末１０の撮影手段１１は、投票候補を撮影する（ステップＳ１１）。画像送信手段１２は、撮影された投票候補画像を投票処理装置２０に送信する（ステップ１２）。
【００７２】
投票処理装置２０が投票候補画像を受信すると、識別手段２１は、受信した投票候補画像から抽出される識別情報に基づいて投票候補を識別する（ステップＳ１３）。特定手段２２は、識別された投票候補に対する投票指示をさせるために用いられる投票指示情報（ここでは、投票候補が出場予定のレース）を特定し（ステップＳ１４）、情報送信手段２３は、特定された投票指示情報（ここでは、レースに関する情報）を携帯端末１０に送信する（ステップＳ１５）。携帯端末１０の表示手段１４は、受信した投票指示情報（ここでは、レース情報）を表示する（ステップＳ１６）。
【００７３】
利用者は受信した情報等をもとに投票する内容を決定する。そして、指示手段１３は、利用者の操作に応じて、投票処理装置２０から受信した投票指示情報を用いて（例えば、レースに対する）投票指示を行う（ステップＳ１９）。通常、この投票指示には、特定手段２２が特定したレースに対して、識別手段２１が識別した投票候補への投票内容が含まれる。すなわち、指示手段１３は、投票処理装置２０から受信したレースに対する投票指示であって、識別手段２１が識別した投票候補に対する投票指示を行う。
【００７４】
投票処理装置２０の投票手段２４は、携帯端末１０からの投票指示に応じて投票処理を行う（ステップＳ２０）。投票処理が完了すると、投票手段２４は、携帯端末１０に投票結果を通知する（ステップＳ２１）。
【００７５】
図２に示す例では、携帯端末１０が投票処理装置２０から受信したレース情報をもとに投票する内容を決定する動作を説明した。なお、利用者は、ステップＳ１６で参照したレース情報以外の情報を、投票処理装置２０にさらに要求してもよい。図３は、携帯端末１０が投票処理装置２０に、さらに情報の要求を行う動作例を示す説明図である。
【００７６】
携帯端末１０の情報要求手段１５は、利用者の操作に応じて、投票候補に関する情報を投票処理装置２０に要求する（ステップＳ１７）。投票処理装置２０が情報の要求を受信すると、情報送信手段２３は、過去成績記憶手段３２から投票候補の過去の成績等を検索し、携帯端末１０に送信する（ステップＳ１８）。
【００７７】
なお、投票候補画像を送信してレースに関する情報を受信するステップＳ１１からステップＳ１６までの処理、および、投票指示を行ってその投票結果を通知するステップＳ１９からステップＳ２１までの処理は、図２に例示する処理と同様である。
【００７８】
以上のように、本実施形態では、識別手段２１が、携帯端末１０で撮影された投票候補画像から抽出される識別情報に基づいて投票候補を識別し、特定手段２２が、識別された投票候補に対する投票指示をさせるために用いられる投票指示情報を特定する。また、情報送信手段２３が、特定された投票指示情報を携帯端末１０に送信する。そして、投票手段２４が、特定された投票指示情報を用いた投票指示を携帯端末１０から受信し、その投票指示に応じて投票処理を行う。よって、利用者が実際に参照している候補への投票を簡易に行うことができる。
【００７９】
本実施形態の投票システムでは、投票処理装置２０が、投票するために必要な情報を投票候補画像から抽出する。そして、投票するために抽出された識別情報だけでは不足する場合、投票処理装置２０が、他の識別情報を利用して投票候補を特定し、利用者が投票を行うための情報を完成させる。したがって、投票処理装置２０が情報を収集する方法は、要求された情報を単に検索するだけの方法とは異なるといえる。
【００８０】
次に、第１の実施形態の第一の変形例を説明する。第１の実施形態では、画像送信手段１２が投票候補画像を投票処理装置２０に送信し、識別手段２１が投票候補画像から抽出される識別情報に基づいて投票候補を識別する方法を説明した。なお、携帯端末１０自身が投票候補画像から投票候補の識別情報を抽出してもよい。なお、投票候補画像から抽出する識別情報の内容は、第１の実施形態の識別手段２１が抽出する内容と同様である。
【００８１】
具体的には、画像送信手段１２が、撮影された投票候補画像から識別情報を抽出し、抽出した識別情報を投票処理装置２０に送信してもよい。この場合、投票処理装置２０の識別手段２１は、受信した識別情報に基づいて投票候補を識別すればよい。このような構成であっても、利用者が実際に参照している候補への投票を簡易に行うことができる。
【００８２】
また、携帯端末１０が識別手段２１を含み、投票処理装置２０が識別手段２１を含まない構成であってもよい。図４は、携帯端末１０が識別手段２１を有する投票システムの構成例を示すブロック図である。図４に示す携帯端末１０は、画像送信手段１２の代わりに、投票候補送信手段１２ａを含む。なお、投票候補送信手段１２ａは、プログラム（投票処理用プログラム）に従って動作するコンピュータのＣＰＵによって実現される。
【００８３】
この場合、携帯端末１０の識別手段２１が投票候補を識別し、投票候補送信手段１２ａが、識別された投票候補を示す情報を投票処理装置２０に送信する。そして、特定手段２２は、受信した投票候補に対する投票指示情報を特定する。このような構成であっても、利用者が実際に参照している候補への投票を簡易に行うことができる。
【００８４】
次に、第１の実施形態の第二の変形例を説明する。第１の実施形態では、携帯端末１０と投票処理装置２０の間で投票候補画像や投票指示情報がやり取りされる方法を説明した。ただし、これらの処理は、１台の装置で実現されてもよい。
【００８５】
図５は、第１の実施形態の変形例を示すブロック図である。図５に示す投票システム５０は、撮影手段１１と、指示手段１３と、表示手段１４と、識別手段２１と、特定手段２２と、投票手段２４と、レース情報記憶手段３１と、過去成績記憶手段３２とを備えている。
【００８６】
すなわち、本変形例の投票システムは、他の装置に画像や情報を送信する手段を有しない点において、第１の実施形態と異なる。なお、各手段の機能は、第１の実施形態と同様である。このような構成であっても、利用者が実際に参照している候補への投票を簡易に行うことができる。
【００８７】
実施形態２．
図６は、本発明による投票システムの第２の実施形態の構成例を示すブロック図である。なお、第１の実施形態と同様の構成については、図１と同一の符号を付し、説明を省略する。本実施形態の投票システムは、実際に候補を参照して投票された結果を利用して、各種情報を利用者に提示する。
【００８８】
本実施形態の投票システムは、携帯端末１０と、投票処理装置３０とを備えている。携帯端末１０の構成は、第１の実施形態と同様である。
【００８９】
投票処理装置３０は、識別手段２１と、特定手段２２と、情報送信手段２３と、投票手段２４と、集計手段２５と、レース情報記憶手段３１と、過去成績記憶手段３２と、投票履歴記憶手段３３と、一般投票情報記憶手段３４とを含む。
【００９０】
すなわち、本実施形態の投票処理装置３０は、第１の実施形態の投票処理装置２０の構成に加え、集計手段２５、投票履歴記憶手段３３および一般投票情報記憶手段３４を含む。識別手段２１、特定手段２２、情報送信手段２３、レース情報記憶手段３１および過去成績記憶手段３２の構成は、第１の実施形態と同様である。
【００９１】
投票手段２４は、自身が行った投票履歴を投票履歴記憶手段３３に記憶する。投票手段２４は、例えば、レースごとに、投票対象や投票対象の組み合わせ、投票金額などを記憶する。また、投票手段２４は、投票候補を特定する際に用いられた投票候補画像が撮影された位置情報や時間情報を併せて記憶してもよい。これらの情報を利用することにより、投票候補が撮影された場面（例えば、競馬の場合、パドックか返し馬か）を識別することが可能になる。
【００９２】
投票履歴記憶手段３３は、投票手段２４によって行われた投票処理に関する情報（投票履歴）を記憶する。すなわち、投票履歴記憶手段３３に記憶される投票履歴は、利用者が実際に候補を参照して投票された結果であるということができる。投票履歴記憶手段３３は、例えば、磁気ディスク装置により実現される。
【００９３】
一般投票情報記憶手段３４は、一般的な投票情報を記憶する。すなわち、一般投票情報記憶手段３４に記憶される投票情報は、本実施形態の投票システムを介した投票に関する情報だけでなく、投票手段２４によって行われる投票処理以外の投票（マークカード記入による投票など）に関する情報を含む。
【００９４】
なお、本実施形態では、投票処理装置３０が一般投票情報記憶手段３４を含む場合を例示している。ただし、一般投票情報記憶手段３４は、投票処理装置３０以外で、投票処理装置３０と通信可能な他の装置（図示せず）に設けられていてもよい。
【００９５】
集計手段２５は、投票手段２４によって行われた投票処理を集計した集計結果を生成する。具体的には、集計手段２５は、投票履歴記憶手段３３に記憶された投票履歴を集計し、各投票候補の人気順やオッズを集計する。また、集計手段２５は、投票手段２４によって行われた投票処理を集計した集計結果（以下、第一集計結果と記す。）と、投票手段２４以外（例えば、一般的な投票システム）によって行われた投票処理を含む投票処理を集計した集計結果（以下、第二集計結果と記す。）とを比較した比較情報を、集計結果として生成してもよい。
【００９６】
すなわち、第一集計結果は、本実施形態の投票手段２４により投票された結果に基づいて生成される情報である。また、第二集計結果は、本実施形態の投票手段２４により投票された結果だけでなく、他の方法により投票された結果も含む情報に基づいて生成される情報である。
【００９７】
集計手段２５は、例えば、第一集計結果として算出されるオッズと第二集計結果として算出されるオッズとの差を比較情報として生成してもよい。また、集計手段２５は、第一集結果により算出される人気順と第二集計結果により算出される人気順との差を比較情報として生成してもよい。
【００９８】
また、例えば、パドックと返し馬との関係のように、投票候補が参照される状況が異なる場合、集計手段２５は、参照される状況ごとに投票候補の情報を集計してもよい。
【００９９】
そして、集計手段２５は、集計結果を各種表示装置に表示させる。集計手段２５は、例えば、集計結果を携帯端末１０に送信し、携帯端末１０の表示手段１４に集計結果を表示させてもよい。
【０１００】
また、集計手段２５は、集計した情報や生成した比較情報を携帯端末１０以外の他の表示装置（図示せず）に表示させてもよい。集計手段２５は、例えば、場内に設置されたディスプレイ装置や大型映像装置にこれらの情報を表示してもよい。
【０１０１】
集計手段２５は、プログラム（投票処理用プログラム）に従って動作するコンピュータのＣＰＵによって実現される。集計手段２５は、他の手段と同一のハードウェア（投票処理装置２０）で実現されていてもよいし、他のハードウェアで実現されていてもよい。
【０１０２】
次に、本実施形態の投票システムの動作を説明する。図７は、本実施形態の投票システムの動作例を示すフローチャートである。投票処理が完了するまでのステップＳ１１からステップＳ２１までの処理は、図３に例示する処理と同様であるため、説明を省略する。
【０１０３】
集計手段２５は、投票手段２４によって投票処理が行われた投票候補の情報を集計する（ステップＳ２２）。そして、集計手段２５は、生成した集計情報を携帯端末１０に送信する（ステップＳ２３）。携帯端末１０の表示手段１４は、受信した集計情報を表示する（ステップＳ２４）。
【０１０４】
以上のように、本実施形態では、集計手段２５が、投票手段２４によって行われた投票処理を集計した集計結果を生成し、その集計結果を表示装置に表示させる。そのため、第１の実施形態の効果に加え、実際に投票候補を参照してされた投票のように、一般に取得できない情報を利用者に提示できるため、利用者の嗜好性をより高めることが可能になる。
【０１０５】
また、集計手段２５が比較情報を作成することで、利用者が、実際に投票候補を参照して行った投票を集計した結果と一般的な投票情報との比較を容易に行うことが可能になる。また、集計手段２５が、携帯端末１０だけでなく、他の表示装置へ集計結果を出力することで、例えば、場内にいる観覧者に対しても有意義な情報を提供することが可能になる。
【０１０６】
すなわち、通常提供されるオッズは、公営競技の性質上、全ての投票状況に基づいて算出される。そのため、利用者は、投票を判断した状況に基づく人気順やオッズを把握することはできなかった。しかし、本実施形態によれば、集計手段２５が、利用者が実際に候補を参照して投票した履歴に基づいてオッズや人気順を集計するため、今まで取得できなかった情報を利用者に提示できる。その結果、利用者の嗜好性をより向上させることが可能になる。
【０１０７】
次に、本発明の概要を説明する。図８は、本発明による投票システムの概要を示すブロック図である。本発明による投票システムは、ユーザ端末８０（例えば、携帯端末１０）と、投票処理装置９０（例えば、投票処理装置２０）とを備えている。
【０１０８】
ユーザ端末８０は、投票候補を撮影する撮影手段８１（例えば、撮影手段１１）と、撮影された投票候補画像を投票処理装置９０に送信する画像送信手段８２（例えば、画像送信手段１２）と、利用者の操作に応じて、投票処理装置９０に投票指示を行う指示手段８３（例えば、指示手段１３）とを含む。
【０１０９】
投票処理装置９０は、受信した投票候補画像から抽出される識別情報に基づいて投票候補を識別する識別手段９１（例えば、識別手段２１）と、識別された投票候補に対する投票指示をさせるために用いられる投票指示情報（例えば、出場予定のレース）を特定する特定手段９２（例えば、特定手段２２）と、特定された投票指示情報（例えば、レースに関する情報）をユーザ端末８０に送信する情報送信手段９３（例えば、情報送信手段２３）と、ユーザ端末８０からの投票指示に応じて投票処理を行う投票手段９４（例えば、投票手段２４）とを含む。
【０１１０】
そして、ユーザ端末８０の指示手段８３は、投票処理装置９０から受信した投票指示情報を用いて（例えば、レースに対する）投票指示を行う。
【０１１１】
そのような構成により、利用者が実際に参照している候補への投票を簡易に行うことができる。
【０１１２】
また、投票処理装置９０（例えば、投票処理装置３０）は、投票手段９４によって行われた投票処理を集計した集計結果を生成し、その集計結果を表示装置（例えば、表示手段８４や他の表示装置）に表示させる集計手段（例えば、集計手段２５）を含んでいてもよい。
【０１１３】
そのような構成によれば、利用者が実際に候補を参照して投票した履歴に基づいてオッズや人気順を集計するため、今まで取得できなかった情報を利用者に提示できる。その結果、利用者の嗜好性をより向上させることが可能になる。
【０１１４】
また、集計手段は、投票手段９４によって行われた投票処理を集計した第一集計結果と、投票手段９４以外（例えば、他の一般的な方法）によって行われた投票処理を含む投票処理を集計した第二集計結果とを比較した比較情報を、集計結果として生成してもよい。
【０１１５】
そのような構成によれば、利用者が、実際に投票候補を参照して行った投票を集計した結果と一般的な投票情報との比較を容易に行うことが可能になる。
【０１１６】
また、ユーザ端末８０の画像送信手段８２は、撮影手段８１によって撮影された複数の投票候補画像を投票処理装置９０に送信し、投票処理装置９０の特定手段９２は、識別された複数の投票候補に対する投票指示をさせるために用いられる投票指示情報（例えば、出場予定のレース）を特定してもよい。そのような構成により、利用者が要求するオッズなどの情報を的確に提供できる。
【０１１７】
また、ユーザ端末８０の画像送信手段８２は、投票候補を撮影した場所を示す位置情報と、投票候補を撮影した時間を示す時間情報のうちの少なくともいずれか一方の情報を、投票候補画像とともに投票処理装置９０に送信し、投票処理装置９０の識別手段９１は、受信した情報および識別情報に基づいて投票候補を識別してもよい。そのような構成によれば、投票候補を特定する精度を向上できる。
【０１１８】
また、投票処理装置９０の識別手段９１は、投票候補画像を受信した時刻および識別情報に基づいて投票候補を識別してもよい。
【０１１９】
また、ユーザ端末８０は、投票処理装置９０から受信した情報を表示する表示手段（例えば、表示手段１４）を備えていてもよい。そして、投票処理装置９０の情報送信手段９３は、識別手段９１によって投票候補が一意に識別できない場合、候補となる投票候補に関する情報をユーザ端末８０に送信し、ユーザ端末８０の表示手段は、受信した候補となる投票候補に関する情報を表示してもよい。そのような構成によれば、投票候補を特定する精度をより向上できる。
【０１２０】
なお、図８に例示する投票システムでは、画像送信手段８２が、投票候補画像を投票処理装置９０に送信し、識別手段９１が、受信した投票候補画像から抽出される識別情報に基づいて投票候補を識別していた。このような構成ではなく、画像送信手段８２が、撮影された投票候補画像から投票候補の識別に用いられる識別情報を抽出し、抽出した識別情報を投票処理装置９０に送信してもよい。そして、識別手段９１が、受信した識別情報に基づいて投票候補を識別してもよい。そのような構成であっても、投票候補を特定する精度をより向上できる。
【０１２１】
図９は、本発明による投票システムの他の概要を示すブロック図である。図９に示す投票システムも、ユーザ端末８０（例えば、携帯端末１０）と、投票処理装置９０（例えば、投票処理装置２０）とを備えている。
【０１２２】
一方、図９に示すユーザ端末８０は、撮影手段８１（例えば、撮影手段１１）と、識別手段９１（例えば、識別手段２１）と、識別された投票候補を示す情報を投票処理装置９０に送信する投票候補送信手段８２ａ（例えば、投票候補送信手段１２ａ）と、指示手段８３（例えば、指示手段１３）とを含む。
【０１２３】
また、投票処理装置９０は、特定手段９２（例えば、特定手段２２）と、情報送信手段９３（例えば、情報送信手段２３）と、投票手段９４（例えば、投票手段２４）とを含む。
【０１２４】
撮影手段８１、識別手段９１、指示手段８３、特定手段９２、情報送信手段９３および投票手段９４の内容は、図８に示す内容と同様である。そのような構成であっても、利用者が実際に参照している候補への投票を簡易に行うことができる。
【０１２５】
図１０は、本発明による投票システムのさらに他の概要を示すブロック図である。図１０に示す投票システム（例えば、投票システム５０）は、撮影手段（例えば、撮影手段１１）により撮影された投票候補を含む投票候補画像から抽出される識別情報に基づいて投票候補を識別する識別手段９１（例えば、識別手段２１）と、識別された投票候補に対する投票指示をさせるために用いられる投票指示情報を特定する特定手段９２（例えば、特定手段２２）と、特定された投票指示情報を用いた投票指示に応じて投票処理を行う投票手段９４（例えば、投票手段２４）とを備えている。
【０１２６】
このような構成であっても、利用者が実際に参照している候補への投票を簡易に行うことができる。
【０１２７】
図１１は、本発明による投票処理装置の概要を示すブロック図である。本発明による投票処理装置は、識別手段９１（例えば、識別手段２１）と、特定手段９２（例えば、特定手段２２）と、情報送信手段９３（例えば、情報送信手段２３）と、投票手段９４（例えば、投票手段２４）とを備えている。
【０１２８】
図１１に示す投票処理装置が備える各構成要素の内容は、図８に示す投票処理装置９０が備える各構成要素の内容と同様である。そのような構成よっても、利用者が実際に参照している候補への投票を簡易に行うことができる。
【０１２９】
図１２は、本発明によるユーザ端末の概要を示すブロック図である。本発明によるユーザ端末は、撮影手段８１（例えば、撮影手段１１）と、画像送信手段８２（例えば、画像送信手段１２）と、利用者の操作に応じて、指示手段８３（例えば、指示手段１３）とを備えている。
【０１３０】
図１２に示すユーザ端末が備える各構成要素の内容は、図８に示すユーザ端末８０が備える各構成要素の内容と同様である。このような構成であっても、利用者が実際に参照している候補への投票を簡易に行うことができる。
【産業上の利用可能性】
【０１３１】
本発明は、公営競技の利用者が行う投票を支援する投票システムに好適に適用される。また、本発明は、例えば、あるイベントに出店、出品された投票候補の順位を決定するための投票を支援する投票システムなどにも好適に適用される。
【符号の説明】
【０１３２】
１０  携帯端末
１１  撮影手段
１２  画像送信手段
１２ａ  投票候補送信手段
１３  指示手段
１４  表示手段
１５  情報要求手段
２０,３０  投票処理装置
２１  識別手段
２２  特定手段
２３  情報送信手段
２４  投票手段
２５  集計手段
３１  レース情報記憶手段
３２  過去成績記憶手段
３３  投票履歴記憶手段
３４  一般投票情報記憶手段
【図１】
2015184726.tif 000003
【図２】
2015184726.tif 000004
【図３】
2015184726.tif 000005
【図４】
2015184726.tif 000006
【図５】
2015184726.tif 000007
【図６】
2015184726.tif 000008
【図７】
2015184726.tif 000009
【図８】
2015184726.tif 000010
【図９】
2015184726.tif 000011
【図１０】
2015184726.tif 000012
【図１１】
2015184726.tif 000013
【図１２】
2015184726.tif 000014